(57)【特許請求の範囲】
【請求項１】
ケーブルが接続されて作動状態にされる表面が目視検査される表示パネルを多段に載せられるように形成されていて温度環境を与える恒温槽に入れられる表示パネル収納ラックであって前記表示パネルを立てて載置可能なように前記多段に形成された載置部及び前記表面の反対の裏面から前記表示パネルを傾けて支持可能なように前記多段に形成された支持部を備えた表示パネル収納ラックにおいて、
前記載置部のうちの少なくとも一部分は前記表示パネルが立てられたときの前記表面の方向及び前記裏面の方向に位置変更可能に形成されていることを特徴とする表示パネル収納ラック。
【請求項２】
前記支持部のうちの少なくとも一部分は前記表示パネルが立てられたときの前記表面の方向及び前記裏面側の方向に位置変更可能に形成されていることを特徴とする請求項１に記載の表示パネル収納ラック。
【請求項３】
前記表示パネルを前記表面を下にして横にした状態で載置可能なように前記表面の損傷を防止できる接触面を備え前記載置部とほぼ同じ高さ位置に設けられた仮置き台部を有することを特徴とする請求項１又は２に記載の表示パネル収納ラック。
【請求項４】
前記表示パネルが前記仮置き台部に前記横にした状態で載置されたときの前記表示パネルの上方の位置に前記ケーブルを少なくとも一部分垂らした状態で固定する固定部を設けたことを特徴とする請求項３に記載の表示パネル収納ラック。
【発明の詳細な説明】
【０００１】
【発明の属する技術分野】
本発明は、ケーブルが接続されて作動状態にされる表面が目視検査される表示パネルのうちの小寸法の小パネルを多段に載せられるように形成されていて温度環境を与える恒温槽に入れられる表示パネル収納ラックであって前記小パネルを立てて載置可能なように前記多段に形成された載置部及び前記表面の反対の裏面から前記小パネルを傾けて支持可能なように前記多段に形成された支持部を備えた表示パネル収納ラックにに関し、液晶モジュールの製造工程中の検査工程におけるエージング実施中の目視検査に利用される。
【０００２】
【従来の技術】
液晶モジュール収納ラックとしては、例えば片面が３段４列で背中合わせに２面に形成されたものが提案されている（特開２０００−９５５１号公報参照）。この収納ラック及びこれを用いた恒温槽は、熱風循環系等の面で従来の装置を大幅に改善したものになっているが、液晶モジュールの収納棚としては、常に例えば３段の棚として使用されるようになっている。そのため、検査すべき液晶モジュールの最大サイズは１段の棚の寸法によって決まってくる。従って、これ以上のサイズのものは取り扱えない。又、最大サイズ用に大きな寸法の棚にすれば、例えばその１／２の最小サイズの液晶モジュールを載せるようにモジュールサイズを大幅に変更するときに、仮に同じラックを使用するとすれば、棚の使用面積率が大幅に低下すると共に、良好な空気流れが得られなくなる。その結果、検査すべき液晶モジュールサイズを大サイズ又は小サイズ間で大幅に変更するときには、収納ラックそのものを取り替えることになる。
【０００３】
しかしながら、そのように収納ラックそのものを取り替えるとすれば、段取り変え作業が大変で多大な作業時間のロスも発生する。又、大型収納ラックで設置時の安定性等の点からキャスター付きにしない場合には、その重量が作業者の大きな負担になる等の問題がある。
【０００４】
又、液晶モジュールを動作状態で目視検査するための動作用のケーブルを結合するときには、モジュールを棚に立てた状態にして、その上端を前側に倒してこの部分を人が体で保持し、モジュールの裏面や側端部を上から見える状態にしてケーブルの結合作業を行っていた。しかしながら、このようなケーブルの結合作業方法では、作業性が悪いと共に、モジュールを落とすおそれがある等の点から作業の安全性が確保されない。
【０００５】
一方、液晶モジュールをパレットに装着して収納ラックに搭載するようにした表示パネル検査装置も提案されている（特許３０４４１９３号公報参照）。この装置では、作業環境の良い場所でケーブルの接続作業を行うことができ、作業性の改善等が図られている。しかしながら、大小差の大きい液晶モジュールを扱う場合には、パレットや収納ラックを複数種類準備して取り替えて使用する必要かあり、前記の従来技術の装置と同様の問題を有する。
【０００６】
【発明が解決しようとする課題】
そして近年では、液晶モジュールの大型化が進展し、中小形のものに加えて大型のもののエージング及びそのときの目視検査の必要性が高まっている。そこで本発明は、従来技術に於ける上記問題を解決し、小型から大型までの表示パネルの一連の目視検査作業の容易化、作業時間の短縮、作業時の安全性の確保等の図られた表示パネル収納ラックを提供することを課題とする。
【０００７】
【課題を解決するための手段】
本発明は上記課題を解決するために、請求項１の発明は、ケーブルが接続されて作動状態にされる表面が目視検査される表示パネルを多段に載せられるように形成されていて温度環境を与える恒温槽に入れられる表示パネル収納ラックであって前記表示パネルを立てて載置可能なように前記多段に形成された載置部及び前記表面の反対の裏面から前記表示パネルを傾けて支持可能なように前記多段に形成された支持部を備えた表示パネル収納ラックにおいて、
前記載置部のうちの少なくとも一部分は前記表示パネルが立てられたときの前記表面の方向及び前記裏面の方向に位置変更可能に形成されていることを特徴とする。
【０００８】
請求項２の発明は、上記に加えて、前記支持部のうちの少なくとも一部分は前記表示パネルが立てられたときの前記表面の方向及び前記裏面側の方向に位置変更可能に形成されていることを特徴とする。
【０００９】
請求項３の発明は、請求項１又は２の発明の特徴に加えて、前記表示パネルを前記表面を下にして横にした状態で載置可能なように前記表面の損傷を防止できる接触面を備え前記載置部とほぼ同じ高さ位置に設けられた仮置き台部を有することを特徴とする。
【００１０】
請求項４の発明は、請求項１の発明の特徴に加えて、前記表示パネルが前記仮置き台部に前記横にした状態で載置されたときの前記表示パネルの上方の位置に前記ケーブルを少なくとも一部分垂らした状態で固定する固定部を設けたことを特徴とする。
【００１１】
【発明の実施の形態】
図１及び図２は本発明を適用した表示パネル収納ラックの構造例を示し、図３は収納ラックが恒温槽の中に入れられた状態を示す。
表示パネル収納ラックは、ケーブル１、２が接続されて作動状態にされる表面３ａが目視検査される表示パネルである液晶モジュール３を多段として図１の例では５段で且つ複数列として４列に載せられるように形成されていて、８０℃程度の温度環境を与える恒温槽１００に入れられる。
【００１２】
このように目視検査される表示パネル３は小寸法の小パネルである小型モジュール３１から図３、図６等に示す大寸法の大パネルである大型モジュール３２までで構成されている。そして図１の収納ラックは、小型モジュール３１を立てて載置可能なように５段に形成された小型モジュール３１の載置部である棚４（４１〜４５）及び表面の反対の裏面３ｂから小型モジュール３１を傾けて支持可能なように５段に形成された支持部である角度調整棒５を備えている。
【００１３】
棚４のうちの少なくとも一部分として本例では第２段及び第４段のものは、液晶モジュール３が立てられたときの表面３ａの方向であるＸ１  方向及び裏面３ｂの方向であるＸ２  方向に位置変更可能に移動棚４２及び４４になっている。又、角度調整棒５のうちの少なくとも一部分として本例では全ての段のものは、前記Ｘ１  方向及びＸ２  方向に位置変更可能に形成されている。
【００１４】
又、仮置き台部である作業台６（６１〜６５）が設けられる。作業台６は、小型モジュール３１より大寸法の大パネルである大型モジュール３２を含み液晶モジュール３を表面３ａを下にして横にした状態で載置可能なように表示面となる表面３ａの損傷を防止できる接触面としてラバー等の柔軟材からなる接触面６ａを備えていて、棚４とほぼ同じ高さ位置に設けられる。本例の作業台６は図示の如く格子状に形成されている。
【００１５】
又、液晶モジュール３が作業台６上に横にした状態で載置されたときにその上方の位置には、ケーブル１、２をその自由端までの長さが適当な長さになるようにして少なくとも一部分垂らした状態で固定する固定部である本例ではインバータユニット７及びインターフェース基板８が設けられている。
【００１６】
以上のような表示パネル収納ラックは、自立強度を持たせるために枠体構造になっていて、４本の支柱９、これらの間を結合する結合板１０、前記作業台６のうち固定棚４１、４３及び４５と一体形成された固定作業台６１、６３及び６５、幅方向結合部材１１等で構成されている。そして本例では、棚４、角度調整棒５、作業台６等の構成部分が恒温槽１００の中心１００ｃを中心として両側に対称に配置されている。このようにすれば、同じ数の液晶モジュールを処理するときに、装置の小形化やコスト低減を図ることができる。なお、一部の図を除き、対称構造の一面側だけを示している。
【００１７】
液晶モジュール３には電源を供給するためのケーブル端３ｃ及び動作信号を受け入れるためのコネクタ３ｄが取り付けられていて、ケーブル１、２はそれぞれこれらの結合部に結合される。又、ケーブル１、２が固定されているインバータユニット７及びインターフェース基板８は、支柱９及び結合板１０に取り付けられるケーブルや回路基板を介して、恒温槽１００の上部又は側部等に設けられ前記直流電源や動作信号を供給する図示しない操作制御盤と接続される。
【００１８】
エージング及び目視検査の対象となる液晶モジュール３は、寸法の異なる液晶モジュールの混載が可能なように本例では小型及び大型モジュール３１及び３２になっているが、図３（ｂ）に示す如く、これらは更に、小型最小モジュール３１Ｓと小型モジュール３１Ｍ及び大型最大モジュール３２Ｌと大型モジュール３２Ｍで構成されている。これらの液晶モジュール３の表面３ａは目視検査されるが、そのときには、表面３ａに直角又はこれに近い範囲内の角度の方向から見えるようにすることが望ましい。
【００１９】
本例の恒温槽１００は、図３に示す如く、断熱壁１０１及び外部からの透視性があり開閉される扉１０２に囲われていて、その上部には、モータ１０３で回転駆動される送風機１０４、ダクト１０５、加熱器１０６等が配設され、液晶モジュール３のエージングのための前記８０℃程度の高温空気を矢印の如く循環させるように構成されている。なお、本例で上部に配置されている送風系を、図において紙面に直角方向の恒温槽の側面に配置し、図において矢印で示す上下の空気流れ方向を上記紙面に直角の横方向にした側面送風配置も、本例の配置と全く同等に採用することができる。
【００２０】
棚４は、作業台６と一体的に形成されていて、その先端位置には、液晶モジュール３を載せたときの位置保持用の滑り止め４ａが設けられている。そして、前記の如く棚４のうち位置変更可能に形成された移動棚４２及び４４は、作業台６のうちの移動可能になっている移動作業台６２、６４が幅方向結合材１１内で幅方向でもあるＸ１  −Ｘ２  方向に移動可能に支持されることにより、同方向に移動可能になっている。なお図示を省略しているが、移動棚４２、４４は、移動範囲の両端位置を含み適当な位置でストッパーによって位置保持されるようになっている。固定棚４１、４３、４５は、前記の如く作業台６のうちの固定作業台６１、６３、６５に取り付けられることにより、位置を固定されている。
【００２１】
角度調整棒５は、支柱９に固定されこれからＸ１  方向に突出し複数の溝を備えた溝部材１２の何れかの溝に嵌め込まれることにより、Ｘ１  −Ｘ２  方向の適当な位置に設定されるようになっていて、それによって液晶モジュール３を適当な傾斜角で支持することができる。なお、角度調整用の支持部としては、例えば棒の両端をガイド溝に入れて連続的に移動して適当な位置で固定できるような、公知の種々の機構を用いることができる。又本例では、全ての段で角度調整可能にしているが、例えば下方の段で検査員による視点位置の差がそれ程問題にならないような場合には、傾斜角を固定するようにしてもよい。
【００２２】
作業台６は、液晶モジュール３のうちの大型最大モジュール３２Ｌまで載置可能になっているが、本例では、棚４の滑り止め４ａの上端部を含めて３２Ｌの半分以上の部分を載せて安定して支持できるようにしている。なお、滑り止め４ａの上端にもラバー等の柔軟材が設けられる。
【００２３】
以上のような表示パネル収納ラックは次のように使用されその作用効果を発揮する。
例えば小型モジュール３１の検査を行うときには、図１（ａ）に示す如く、これらを表示パネル収納ラックに５段４列に載置・陳列する。そのため、図２（ｂ）のように、液晶モジュール３（３１）を表面３ａを下側にし且つ下端３ｅを奥側であるＸ２  方向の端になるよう横にして作業台６の上面及び棚４の滑り止め４ａの上端位置に置く。このとき、作業台６及び滑り止め４ａの上面が柔軟材になっているので、液晶モジュールの表示面となる表面３ａが傷などの損傷を受けることがない。
【００２４】
この状態で図４（ａ）に示す如くケーブル１、２の自由端部を液晶モジュール３のケーブル端３ｃ及びコネクタ３ｄに結合する。このとき、液晶モジュール３を人が支持することなく作業台６上に載せているので、結合作業が容易である。又、液晶モジュールを落とすようなことがなく、作業時の安全が確保される。更に、ケーブル結合時には、結合部が十分見えると共に液晶モジュール３の上で作業できるので、従来のようにモジュールの両側端から腕を入れて作業するような必要性がなくなり、モジュール間隔を狭くして積載時の面積効率を良くすることができる。
【００２５】
又、ケーブル１、２が液晶モジュール３を横にしたときの上方に設けられたインバータユニット７及びインターフェース基板８に結合されてこれから垂らされた状態になっているので、このケーブルを取ってモジュール側に接続する作業が極めて容易である。なお、ケーブルが長いときには、その一部を結合板１０に掛けて置いてもよい。
【００２６】
このようなケーブル１、２の結合作業時には、角度調整棒５をＸ２  方向に退避させ、図３の視線で示すように、奥側にある液晶モジュール３の下端３ｅまで見える状態にする。ケーブルが接続されると、図４（ｂ）に示す如く角度調整棒５を目的位置としてＸ１  方向の先端位置又はその次の位置に置き換え、（ｃ）のように角度調整棒５にもたれさせて目的とする傾斜角に設置する。このときには、（ｄ）のように液晶モジュール３を矢印で示す如く順次起こしていけばよい。従って、所定位置への立て掛け設置が極めて容易である。又、液晶モジュール３のこのような立て掛け方法と前記のようなケーブル１、２の固定位置との関係で、自由な状態にあるケーブル１、２を余分な長さを最小にして十分短くすることができる。その結果、液晶モジュール３を横にして置いたり立ち上げるときに、ケーブルが邪魔になったり煩わしくなくなり、全作業がやり易くなる。更に、液晶モジュール３を作動状態にするＬＣＤドライブ信号を高速化するためにはケーブル長さに制限があるが、このようにケーブル長さを最短にすることにより、高速ドライブ可能なＬＣＤの性能を低下させることなくエージング処理することができる。
【００２７】
１枚の液晶モジュールを所定位置に設置すると、順次他のモジュールを設置して行き、全てのモジュールの設置が終了すると、扉１０２を閉めて試験室１０７を形成させ、恒温槽１００を運転する。即ち、加熱器１０６をオンにし、送風機１０４を運転してダクト１０５から８０℃程度の高温空気を吹き出し、矢印の如く試験室１０７を通過させ戻し側の風路１０８を経由するように循環させる。このときには、液晶モジュール３が風のガイド面を形成し、良好な空気循環が保たれる。この場合、空気流れを円滑にするために、前述の如く作業台６を格子状にすることが望ましい。但し、横方向空気循環方式を採用する場合には、作業台６が空気循環を妨げないので、これを平板状のものにしてもよい。
【００２８】
加熱空気が循環して液晶モジュール３がその温度に加熱されると、図示しない操作制御盤からケーブル１、２を介して液晶モジュール３に電源や動作信号を供給し、モジュールを動作状態にして一定時間エージングする。
【００２９】
エージング中又はその終了の前後には、図５に示す如く液晶モジュール３の表面３ａの表示状態を目視検査する。この場合、液晶モジュール３が小型中間モジュール３１Ｍであれば、５段載置で図の実線の傾斜角であっても、視線Ｌ１  、Ｌ２  、Ｌ３  のように、通常の背丈の人が最も目視状態の良い表面３ａに直角の方向から３１Ｍの上下端を見ることができる。又、最上段の３１Ｍでは、踏台２００を仮置きすることによって視線Ｌ４  のようにその上端まで見ることができる。なお、小型最小モジュール３１Ｓの場合には、二点鎖線で示すように最下段のものを大きく傾けることにより、視線Ｌ５  のように視点を高くしたりモジュールに近づくことによってより見やすくすることができる。即ち、角度調整棒５の位置を調整することにより、目視検査を容易化したり目視検査の精度向上を図ることができる。
【００３０】
目視検査が終了すると、扉１０２を開いて検査されるべき液晶モジュールを交換する。このときには、検査済みのモジュールのケーブル接続を解除する。この解除作業は結合作業のときと反対の順序で行われる。このときにも、液晶モジュールを作業台上に仮置きできるので、作業を容易に安全に且つ迅速に行うことができる。
【００３１】
５段４列の小型モジュール３１の試験をした後大型モジュール３２の試験を行うときには段取り変えを行う。この段取り変えは、図６に示すように、移動棚４２及び４４をＸ２  の方向に移動させて退避した位置にするだけである。従って、段取り変えには殆ど手間や時間を必要としない。
【００３２】
段取り変えを終了すると、小型モジュール３１のときと同様の方法でケーブル結合やモジュールの立て掛け等の作業を行う。この場合、大型モジュール３２では、上記の如く移動棚４２、４４を退避させて邪魔にならない位置にしておいて、棚４のうち固定棚４１、４３及び４５にモジュールを立てて置き２段分の間隔を使用する。このように大型モジュールでは寸法が大きく重量も重いので、図４に示す如くこれを作業台６上において作業するという作業の容易化及び安全性の確保が特に有効になる。
【００３３】
なお、検査すべき小型モジュール３１が残っていたり、大型と小型とを並行的に検査するようなときには、移動棚４２を移動させることなく、又は第２段を移動棚でなく固定棚にして、移動棚４４だけを移動させるようにする。これにより、１、２段に小型モジュールを載せ３、５段に大型モジュールを載せ、両方のモジュールを検査することもできる。
【００３４】
大型モジュールのうちの大型最大モジュール３２Ｌを図６の如く３段３列に所定位置に設置すると、小型モジュールのとき同様に恒温槽を運転し、そのエージング及び目視検査を行う。このときには、大型最大モジュール３２Ｌは図６（ａ）及び図５の二点鎖線で示すような載置状態になる。その結果、３段３列に搭載しても、モジュールが高温空気循環のためのガイド面を形成でき、良好な空気流れが確保される。この点は横横方向空気循環方式の恒温槽であっても全く同じである。なお、従来の如く棚を固定して使用する場合に、これを大型最大モジュール用に３段に製作すれば、小型モジュール３１を検査する場合には、図５において２段及び４段で大きな穴が明いて高温空気が短絡する状態になり、空気循環が乱れることになる。
【００３５】
又、大型最大サイズモジュール３２Ｌのうちの最上段のものの傾斜角を大きくするように角度調整棒５で調整することにより、視線Ｌ６  に示す如く、適当な踏み台２００に上がることにより、モジュールの最上部まで容易に目視検査することができる。
なお、移動棚４２、４４を退避させて大型モジュール３２を検査した後に小型モジュール３１を検査するときには、今度は移動棚４２、４４を表面側であるＸ１  方向に移動させることになる。
【００３６】
【発明の効果】
以上の如く本発明によれば、請求項１の発明においては、表面が目視検査される表示パネルを立てて載置可能なように多段に形成された載置部のうちの少なくとも一部分を、表示パネルが立てられたときの表面の方向及び裏面の方向に位置変更可能に形成しているので、一連の工程で当該表示パネル及びこれより大きい大サイズの大パネルまでの表示パネルを最適な状態で目視検査することができる。
【００３７】
即ち、小サイズの表示パネルである小パネルで例えば５段用の表示パネル収納ラックにおいて、小パネルと大パネルとを入れ替えて検査する場合に、小パネルから大パネルへ全入れ替えするときには、第２、第４段の載置部を可動にしてこれを裏面の方向に退避させ、例えば１段及び２段で小パネルを検査し３段以上で大パネルを検査する場合には、第４段の載置部を可動にして裏面の方向に退避させることにより、第１段、３段及び５段に大パネルを載せて大パネルだけを検査したり、第１段及び第２段に小パネルを載せると共に第３段及び第５段に大パネルを載せて両方のパネルを同時に検査することができる。なお、例えば第２段と第４段の載置部を退避させて大パネルを検査した後に小パネルを検査するときには、これらの載置部を表面側に前進移動させればよい。
【００３８】
以上の如く、位置変更可能に形成された載置部の進退移動のみにより、小パネルと大パネルとの間で検査すべき表示パネルを変更することができる。その結果、従来の如く表示パネル収納ラックそのものを取り替える必要がなくなり、段取り変えの手間や時間を殆ど必要とせず、極めて容易な作業で小パネルから大パネルまで目視検査することができる。
【００３９】
又、支持部により表示パネルを多段に傾けて載置しているので、恒温槽で表示パネルに温度環境を与えるときに表示パネル自体が加熱空気流れのガイド作用をするが、載置部の進退移動によって大小パネルを変更できるので、例えば大パネル用のラックをそのまま小パネル用に用いる装置に較べてラックにおけるパネル表面の面積専有率が大きくなり、空気流れが乱れず表示パネルへ与える温度環境を良好に維持することができる。
【００４０】
請求項２の発明においては、支持部のうちの少なくとも一部分を表示パネルが立てられたときの表面の方向及び裏面の方向に位置変更可能に形成しているので、支持部の位置を調整することにより、表示パネルの傾斜角を調整し、目視検査を容易化したり目視検査の精度を向上させることができる。特に小型パネルから大型パネルに変更すると、多段の最上段パネルではその上端までの高さが高くなり、小パネルと同じ傾斜角にすると目視検査時の目の位置が高くなり過ぎるが、このようなときに支持部を表面の方向に前進させてパネルの傾斜角を大きくすることにより、視点を下げて目視検査を容易にすることができる。
【００４１】
請求項３の発明においては、表示パネルを表面を下にして横にした状態で載置可能なように載置部とほぼ同じ高さ位置に仮置き台部を設けるので、上記の如く表示パネルを仮置き台部に置いてケーブルの結合作業をすることができる。この場合、仮置き台は表面の損傷を防止できる接触面を備えているので、表示面となる表面側を仮置き台に載せても、傷が付く等の不具合は発生しない。そして、表示パネルを人が支持することなくケーブル結合作業ができるので、作業を容易に迅速に且つ安全に行うことができる。特に、大型の表示パネルでは寸法が大きく重量も重いので、上記の作業の容易化及び安全性の確保が特に有効になる。
【００４２】
又、仮置き台を載置部とほぼ同じ高さ位置に設けて表示パネルをその表面を下側にした伏せた状態で仮置き台に載せられるので、表示パネルの下端側を同じ高さ位置で支点状に動かして起こして行くことにより、そのまま表面を見える側にして立て掛けられるため、表示パネルの立て掛け設置作業も容易である。
【００４３】
更に、表示パネルを置いた状態でその上で作業できるので、表示パネルの両側の作業のためのスペースを最小にすることができる。その結果、表示パネル収納ラック及びこれを入れる恒温槽への表示パネルの収納量を多くすることができる。
【００４４】
請求項４の発明においては、表示パネルが仮置き台部に横にした状態で載置されたときの表示パネルの上方の位置にケーブルを少なくとも一部分垂らした状態で固定する固定部を設けるので、ケーブルの垂らされた部分を持てるのでケーブル取りが容易になり、これを表示パネル側に結合する作業を一層容易にすることができる。
【００４５】
又、表示パネルを裏向けに横にしてこれを起こして行く立て掛け方法と横にした表示パネルの上方に固定部を設けたこととにより、垂らされるケーブル長さを最小限に短くすることができる。その結果、ケーブル端が短いことと垂らされていることから、表示パネルを置いたり立ち上げるときにケーブルが邪魔にならず、これらの作業が極めてやり易くなる。更に、表示パネルを作動状態にするＬＣＤドライブ信号を高速化するためにはケーブル長さに制限があるが、このようにケーブル長さを最短にすることにより、高速ドライブ可能なＬＣＤの性能を低下させることなくエージング処理することができる。
【図面の簡単な説明】
【図１】本発明を適用した表示パネル収納ラックの構造例を示す斜視図で、（ａ）は全体図で（ｂ）はその一部分の拡大図である。
【図２】上記表示パネル収納ラックの一部分を拡大して示した斜視図であり、（ａ）及び（ｂ）はそれぞれ表示パネルを立てた状態及び横にした状態の図である。
【図３】（ａ）は上記表示パネル収納ラックを恒温槽に入れた状態の説明図で、（ｂ）は検査されるべき各種大きさの表示パネルの側面状態を示す説明図である。
【図４】（ａ）乃至（ｄ）は上記表示パネルのケーブル結合及び立て掛け時の作業の説明図である。
【図５】上記表示パネル収納ラックを恒温槽に入れて目視検査するときの状態を示す説明図である。
【図６】本発明を適用した表示パネル収納ラックに大型の表示パネルを載せた状態を示す斜視図で、（ａ）は全体図で（ｂ）はその一部分の拡大図である。
【符号の説明】
１、２              ケーブル
３                  液晶モジュール（表示パネル）
３ａ                表面
３ｂ                裏面
４                  棚（載置部）
４２、４４          固定棚（載置部）
５                  角度調整棒（支持部）
６                  作業台（仮置き台部）
６ａ                ラバー面（接触面）
７                  インバータユニット（固定部）
８                  インターフェース基板（固定部）
３１                小型モジュール（表示パネル）
３２                大型モジュール（表示パネル）
１００              恒温槽
Ｘ１                  表面の方向
Ｘ２                  裏面の方向
【図１】
0003605020.tif 000002
【図２】
0003605020.tif 000003
【図３】
0003605020.tif 000004
【図４】
0003605020.tif 000005
【図５】
0003605020.tif 000006
【図６】
0003605020.tif 000007